(57)【要約】【課題】省電力化されかつガス器具使用状況を安価な構成で報知できるガス漏れ警報器およびガス漏れ警報システムを提供すること。【解決手段】ガス漏れ警報器２は、ガスメータ１より送信されるガス器具判別信号を受信する受信手段２１と、ガス器具判別信号の受信の有無を判定する受信判定手段２３ａと、ガス漏れの監視領域内に設置されているガス器具を識別するガス器具識別テーブルが格納されている第１の記憶手段２３ｂと、ガス器具判別信号の受信有りと判定されたとき、ガス器具識別テーブルを参照して、ガス器具判別信号に対応するガス器具がガス漏れの監視領域内に設置されているガス器具であるか否かを判定するガス器具判定手段２３ａと、ガス器具判定手段２３ａでガス器具判別信号に対応するガス器具がガス漏れの監視領域内に設置されているガス器具であると判定された場合、ガスセンサ２４の駆動を行うセンサ駆動制御手段２５とを備えている。【選択図】図２
2008293104.tif 000002
【特許請求の範囲】
【請求項１】
監視領域におけるガス漏れを検出するガスセンサと、ガス漏れが発生した際に警報を報知する警報手段とを有し、ガスメータと通信可能に接続されたガス漏れ警報器であって、
前記ガスメータより送信されるガス器具判別信号を受信する受信手段と、
前記受信手段における前記ガス器具判別信号の受信の有無を判定する受信判定手段と、
ガス漏れの監視領域内に設置されているガス器具を識別するガス器具識別テーブルが格納されている第１の記憶手段と、
前記受信判定手段で前記ガス器具判別信号の受信有りと判定されたとき、前記第１の記憶手段に格納されている前記ガス器具識別テーブルを参照して、前記ガス器具判別信号に対応するガス器具がガス漏れの監視領域内に設置されているガス器具であるか否かを判定するガス器具判定手段と、
前記ガス器具判定手段で前記ガス器具判別信号に対応するガス器具がガス漏れの監視領域内に設置されているガス器具であると判定された場合、前記ガスセンサの駆動を行うセンサ駆動制御手段と、
を備えていることを特徴とするガス漏れ警報器。
【請求項２】
請求項１記載のガス漏れ警報器において、
前記受信判定手段で前記ガス器具判別信号の受信有りと判定されたとき、ガス器具使用中の報知を行う報知手段をさらに備えていることを特徴とするガス漏れ警報器。
【請求項３】
請求項１または２記載のガス漏れ警報装置において、
前記受信手段で受信されるガス器具判別信号は、前記ガス器具へ流れるガス流量を検出するガス流量検知部を有する前記ガスメータにおいて、前記ガス流量検知部で検出されたガス流量に基づいて使用中の前記ガス器具を判別して送信される信号であることを特徴とするガス漏れ警報器。
【請求項４】
請求項１から３のいずれか１項に記載のガス漏れ警報装置において、
前記ガス器具判別信号は、前記ガスメータから前記ガス漏れ警報器へ送信される他の機能のための任意の期間オンおよび任意の期間オフの繰り返しを含む信号形式と同じ信号形式で、前記ガスメータから送信されることを特徴とするガス漏れ警報器。
【請求項５】
請求項１から４のいずれか１項に記載のガス漏れ警報器と、
前記ガス器具へ流れるガス流量を検出するガス流量検知部と、前記ガス器具の種類と前記ガス器具の使用中に消費されるガス流量の属する流量区分との対応関係を表すガス器具使用判別テーブルを格納している第２の記憶手段と、前記ガス流量検知部で検出されたガス流量に基づいて、前記第２の記憶手段に格納されている前記ガス器具使用判別テーブルを参照して使用中の前記ガス器具を判別するガス器具判別手段と、前記ガス器具判別手段における判別結果に対応するガス器具判別信号を送信する送信手段とを有するガスメータと、
からなることを特徴とするガス漏れ警報システム。
【発明の詳細な説明】
【技術分野】
【０００１】
本発明は、ガス漏れ警報器および該ガス漏れ警報器を備えたガス漏れ警報システムに関するものである。
【背景技術】
【０００２】
ガスメータおよびガス漏れ警報器を備えたガス漏れ警報システムにおいては、ガス漏れ警報器でガス漏れが検出された場合、ガス漏れ警報器から遮断信号がガスメータに送信され、ガスメータは遮断信号を受信すると、内蔵されている遮断弁を閉じてガス遮断を行う。この遮断信号は、たとえば、５秒間オン、５秒間オフの繰り返しの無電圧信号形式で送信される。
【０００３】
また、ガスメータは、ガスメータの動作状態を表す種々の信号を、外部出力端子の１つである警報器端子からガス漏れ警報器へ出力している。ガスメータの動作状態を表す種々の信号は、たとえば、図６に示すように、オン、オフの繰り返し形態の異なる無電圧信号形式で送信される。
【０００４】
図６において、（ａ）遮断予告信号は、０．１秒間オン、４．９秒間オフの５秒周期の信号を２回出力する信号とされ、（ｂ）弁遮断信号は０．１秒間オン、０．３秒間オフ、０．１秒間オン、９．５秒間オフの１０秒周期の信号とされ、（ｃ）復帰安全確認信号は、０．１秒間オン、０．１秒間オフ、０．１秒間オン、０．１秒間オフ、０．１秒間オン、４．５秒間オフの５秒周期の信号とされ、（ｄ）ガス使用許可信号は、０．５秒間オン、４．５秒間オフの５秒周期の信号とされ、（ｅ）プリペイ警告信号は、０．１秒間オン、４．９秒間オフの５秒周期の信号を３回出力する信号とされている。
【０００５】
ガス漏れ警報器は、ガスメータから送信される信号を受信し、そのオン、オフの繰り返し形態でどの信号かを識別して音声やＬＥＤ表示等で報知している。
【０００６】
一方、ガスメータおよびガス漏れ警報器を備えたガス漏れ警報システムとして、たとえば出願人が提案しているものがある。このガス漏れ警報システムは、ガスメータが、検出したガス流量に基づき、ガス機器が使用されていることを検出し、その検出結果に応じた使用情報を、端子台を介してガス漏れ警報器に送信する。ガス漏れ警報器は、受信した使用情報に基づき、現在、ガス機器が使用されているか否かを判断し、使用されていると判断されている間、ガス使用報知を行う（特許文献１参照。）。
【特許文献１】特開２００４−１９９５６号公報
【発明の開示】
【発明が解決しようとする課題】
【０００７】
しかしながら、上述の特許文献１に記載のガス漏れ警報システムは、端子台を介して送信されるガス器具使用情報信号がコード信号とされ、オン、オフの繰り返しの信号形式ではないため、ガス漏れ警報器側では、図７に示す種々の信号を識別する回路では識別することができず、別個の識別回路を必要とするためコストアップとなる問題がある。
【０００８】
また、ガス漏れ警報器は、ガス器具使用情報信号の受信の有無にかかわらず、ガス器具が使用されていない場合でも常時通電されてガス漏れ検出の待機状態にあり、電力消費が大きくなるという問題がある。
【０００９】
そこで本発明は、上述した課題に鑑み、省電力化されかつガス器具使用状況を安価な構成で報知できるガス漏れ警報器およびガス漏れ警報システムを提供することを目的としている。
【課題を解決するための手段】
【００１０】
上記課題を解決するためになされた請求項１記載の発明のガス漏れ警報器は、監視領域におけるガス漏れを検出するガスセンサと、ガス漏れが発生した際に警報を報知する警報手段とを有し、ガスメータと通信可能に接続されたガス漏れ警報器であって、前記ガスメータより送信されるガス器具判別信号を受信する受信手段と、前記受信手段における前記ガス器具判別信号の受信の有無を判定する受信判定手段と、ガス漏れの監視領域内に設置されているガス器具を識別するガス器具識別テーブルが格納されている第１の記憶手段と、前記受信判定手段で前記ガス器具判別信号の受信有りと判定されたとき、前記第１の記憶手段に格納されている前記ガス器具識別テーブルを参照して、前記ガス器具判別信号に対応するガス器具がガス漏れの監視領域内に設置されているガス器具であるか否かを判定するガス器具判定手段と、前記ガス器具判定手段で前記ガス器具判別信号に対応するガス器具がガス漏れの監視領域内に設置されているガス器具であると判定された場合、前記ガスセンサの駆動を行うセンサ駆動制御手段と、を備えていることを特徴とする。
【００１１】
請求項１記載の発明においては、監視領域におけるガス漏れを検出するガスセンサと、ガス漏れが発生した際に警報を報知する警報手段とを有し、ガスメータと通信可能に接続されたガス漏れ警報器は、ガスメータより送信されるガス器具判別信号を受信する受信手段と、受信手段におけるガス器具判別信号の受信の有無を判定する受信判定手段と、ガス漏れの監視領域内に設置されているガス器具を識別するガス器具識別テーブルが格納されている第１の記憶手段と、受信判定手段でガス器具判別信号の受信有りと判定されたとき、第１の記憶手段に格納されているガス器具識別テーブルを参照して、ガス器具判別信号に対応するガス器具がガス漏れの監視領域内に設置されているガス器具であるか否かを判定するガス器具判定手段と、ガス器具判定手段でガス器具判別信号に対応するガス器具がガス漏れの監視領域内に設置されているガス器具であると判定された場合、ガスセンサの駆動を行うセンサ駆動制御手段とを備えている。それにより、監視領域にあるガス器具が使用されている時だけセンサが駆動されるので、電力消費を軽減することができる。
【００１２】
上記課題を解決するためになされた請求項２記載の発明は、請求項１記載のガス漏れ警報器において、前記受信判定手段で前記ガス器具判別信号の受信有りと判定されたとき、ガス器具使用中の報知を行う報知手段をさらに備えていることを特徴とする。
【００１３】
請求項２記載の発明においては、ガス漏れ警報器は、受信判定手段でガス器具判別信号の受信有りと判定されたとき、ガス器具使用中の報知を行う報知手段をさらに備えている。それにより、監視領域内外を問わず、ガスが使用されていることをユーザに報知することができる。したがって、ユーザは、外出等の際はガス漏れ警報器を見れば、ガス使用中か否かを把握でき、たとえばガス栓を閉じるなどの措置を講じることができる。
【００１４】
上記課題を解決するためになされた請求項３記載の発明は、請求項１または２記載のガス漏れ警報装置において、前記受信手段で受信されるガス器具判別信号は、前記ガス器具へ流れるガス流量を検出するガス流量検知部を有する前記ガスメータにおいて、前記ガス流量検知部で検出されたガス流量に基づいて使用中の前記ガス器具を判別して送信される信号であることを特徴とする。
【００１５】
請求項３記載の発明においては、受信手段で受信されるガス器具判別信号は、ガス器具へ流れるガス流量を検出するガス流量検知部を有するガスメータにおいて、ガス流量検知部で検出されたガス流量に基づいて使用中のガス器具を判別して送信される信号である。それにより、ガスメータにおけるガス流量検出に基づいてガス器具の使用の有無を検出することができる。
【００１６】
上記課題を解決するためになされた請求項４記載の発明は、請求項１から３のいずれか１項に記載のガス漏れ警報装置において、前記ガス器具判別信号は、前記ガスメータから前記ガス漏れ警報器へ送信される他の機能のための任意の期間オンおよび任意の期間オフの繰り返しを含む信号形式と同じ信号形式で、前記ガスメータから送信されることを特徴とする。
【００１７】
請求項４記載の発明においては、ガス器具判別信号は、ガスメータからガス漏れ警報器へ送信される他の機能のための任意の期間オンおよび任意の期間オフの繰り返しを含む信号形式と同じ信号形式で、ガスメータから送信される。それにより、従来と同様の構成で、ガス器具判別信号の受信に基づき使用中のガス器具を判別することができ、安価な構成で実現できる。
【００１８】
上記課題を解決するためになされた請求項５記載の発明のガス漏れ警報システムは、
請求項１から４のいずれか１項に記載のガス漏れ警報器と、
前記ガス器具へ流れるガス流量を検出するガス流量検知部と、前記ガス器具の種類と前記ガス器具の使用中に消費されるガス流量の属する流量区分との対応関係を表すガス器具使用判別テーブルを格納している第２の記憶手段と、前記ガス流量検知部で検出されたガス流量に基づいて、前記第２の記憶手段に格納されている前記ガス器具使用判別テーブルを参照して使用中の前記ガス器具を判別するガス器具判別手段と、前記ガス器具判別手段における判別結果に対応するガス器具判別信号を送信する送信手段とを有するガスメータと、からなることを特徴とする。
【００１９】
請求項５記載の発明のガス漏れ警報システムにおいては、請求項１から４のいずれか１項に記載のガス漏れ警報器と、ガスメータとからなる。ガスメータは、ガス器具へ流れるガス流量を検出するガス流量検知部と、ガス器具の種類とガス器具の使用中に消費されるガス流量の属する流量区分との対応関係を表すガス器具使用判別テーブルを格納している第２の記憶手段と、ガス流量検知部で検出されたガス流量に基づいて、第２の記憶手段に格納されているガス器具使用判別テーブルを参照して使用中のガス器具を判別するガス器具判別手段と、ガス器具判別手段における判別結果に対応するガス器具判別信号を送信する送信手段とを有する。それにより、監視領域にあるガス器具が使用されている時だけセンサが駆動されるので、電力消費を軽減することができるガス漏れ警報システムを実現できる。
【発明の効果】
【００２０】
請求項１記載の発明によれば、監視領域にあるガス器具が使用されている時だけセンサが駆動されるので、電力消費を軽減することができるガス漏れ警報器を実現できる。
【００２１】
請求項２記載の発明によれば、監視領域内外を問わず、ガスが使用されていることをユーザに報知することができる。
【００２２】
請求項３記載の発明によれば、ガスメータにおけるガス流量検出に基づいてガス器具の使用の有無を検出することができる。
【００２３】
請求項４記載の発明によれば、従来と同様の構成で、ガス器具判別信号の受信に基づき使用中のガス器具を判別することができ、安価な構成で実現できる。
【００２４】
請求項５記載の発明によれば、監視領域にあるガス器具が使用されている時だけセンサが駆動されるので、電力消費を軽減することができるガス漏れ警報システムを実現できる。
【発明を実施するための最良の形態】
【００２５】
以下、本発明の実施の形態について図面を参照して説明する。
【００２６】
図１は、本発明の実施の形態に係るガス漏れ警報器を備えたガス漏れ警報システムを示すブロック図であり、図２は、図１のガス漏れ警報システムにおける通信インターフェースの詳細を示す回路図である。
【００２７】
ガス漏れ警報システムは、ガスメータ１と、信号線Ｌを介してガスメータ１に接続されたガス漏れ警報器２とから構成されている。
【００２８】
ガスメータ１は、ガス供給管３を介して、家屋Ｈ内のたとえば台所に設置されて使用されるガスコンロ４ａ、ガスストーブ４ｂや家屋Ｈ外に設置された給湯器４ｃなどのガス器具４に供給されるガス量を積算計量して積算ガス使用量として表示するためのものである。ガスメータ１は、ガス供給管３のガス流路内に設けられたガス流量検知部１１と、ガス流量検知部１１からの流量検知信号に基づいて瞬時ガス流量を計測し、計測して得られた瞬時ガス流量値を積算計量して表示部１２に表示させる計量処理を行うガスメータ制御部１３とを有する。
【００２９】
ガスメータ制御部１３は、たとえば制御プログラムがインストールされたマイクロコンピュータで実現され、制御プログラムを実行するＣＰＵ１３ａ、制御プログラムやデータが格納されたＲＯＭ１３ｂと、一時的にデータを記憶するＲＡＭ１３ｃとからなる。それに伴い、電池１４が動作電源としてガスメータ制御部１３に接続されている。さらに、ガスメータ１は、信号線を介してガス漏れ警報器２と通信する通信インターフェース１５を有する。なお、ガスメータ１には、それ以外にも、種々のセンサやアクチュエータが設けられているが、本発明に直接関係ないので、ここでは図示せずその説明も省略している。
【００３０】
ガス流量検知部１１は、ガス流路に沿って双方向に超音波を送出し、それぞれの伝播時間からガス流速を検出し、ガス流路の断面積との関係から瞬間ガス流量信号を出力する超音波式流量計測手段である。
【００３１】
ガスメータ制御部１３は、上述のガス流量値の計量処理のほかに、ガスコンロ４ａ、ガスストーブ４ｂ、給湯器４ｃなどのガス器具４の使用の有無を判別し、使用されている場合にガス器具使用中を表すガス器具判別信号を通信インターフェース１５から信号線Ｌを介してガス漏れ警報器２へ送出するガス器具判別処理を行う。なお、ガス器具判別信号は、ガスメータ１とガス漏れ警報器２の間で他の機能のために送受信される遮断予告信号、弁遮断信号、復帰安全確認信号、ガス使用許可信号等（図６参照）と同じ信号形式で送信される。
【００３２】
ガス器具４の使用の有無の検出は、たとえば、ガス器具４が使用されたとき、そのガス器具４の燃焼中にガス流路を流れるガス流量値がガス流量検知部１１で検知され、検知されたガス流量値が、予め定められた小流量から大流量まで複数の流量範囲に区切られた流量区分のどの流量区分に相当しているかを判定することにより行われる。この判定に使用するために、ガス漏れ警報器２の監視領域、すなわちガス漏れ警報器２と同室（たとえば、台所）に設置されているガス器具としてのガスコンロ４ａ、ガスストーブ４ｂと、ガス漏れ警報器２の監視領域外、すなわちガス漏れ警報器２と同室ではない場所に設置されているガス器具としての給湯器４ｃなどのガス器具４の種類と、ガス器具４が燃焼中に消費するガス流量の属する流量区分との対応関係を示すガス器具使用判別テーブルが、ガスメータ制御部１３内の電気的に書き換え可能な記憶手段としてのＲＯＭ１３ｂ内に予め格納されている。このガス器具使用判別テーブルは、ガスメータ１の設置時に設定器等を使用して上記ＲＯＭ１３ｂ内に格納される。
【００３３】
流量区分は、たとえば、使用時間遮断機能に使用されている流量区分が兼用される。この流量区分は、２１（ｌ（リットル）／ｈ（アワー））未満の流量区分１、２１ｌ／ｈ以上６３ｌ／ｈ未満の流量区分２−１、６３ｌ／ｈ以上１２５ｌ／ｈ未満の流量区分２−２、１２５ｌ／ｈ以上２１０ｌ／ｈ未満の流量区分２−３、２１０ｌ／ｈ以上２５０ｌ／ｈ未満の流量区分３、・・・、１４６０ｌ／ｈ以上の流量区分１３といった１５の流量区分に区切られている。
【００３４】
ＣＰＵ１３ａは請求項におけるガス器具判別手段に相当し、ＲＯＭ１３ｂは請求項における第２の記憶手段に相当し、通信インターフェース１５は請求項における送信手段に相当する。
【００３５】
ガス漏れ警報器２は、家屋Ｈ内の、ガスコンロ４ａおよびガスストーブ４ｂが設置されている台所（監視領域）に設置され、雰囲気中のガス濃度が予め定められたしきい値以上になったことを検出した場合に、ガス漏れと判定して警報を発し、ガス漏れ報知をおこなうものである。ガス漏れ警報器２は、信号線を介してガスメータ１と通信する通信インターフェース２１と、警報部２２と、制御部２３と、ガスセンサ２４と、センサ駆動制御部２５を有する。
【００３６】
制御部２３は、たとえば制御プログラムがインストールされたマイクロコンピュータで実現され、制御プログラムを実行するＣＰＵ２３ａと、制御プログラムやデータが格納されたＲＯＭ２３ｂと、一時的にデータを記憶するＲＡＭ２３ｃとからなる。制御部２３は、所定の検出タイミングでガス漏れ検出を行い、ガスセンサ２４で検出された雰囲気中のガス濃度が予め定められたしきい値以上になった場合に、ガス漏れと判定し、警報部２２よりガス漏れ報知を行う。警報部２２は、図示しないが、警報表示を点滅表示等で行うＬＥＤや、警報音を発生するブザーまたはスピーカ等を含む。
【００３７】
また、制御部２３は、ガスメータ１から送出されるガス器具判別信号が信号線Ｌおよび通信インターフェース２１を介して受信されたか否かを判定し、ガス器具判別信号が受信されたとき、ガス器具を使用中であることを警報部２２でＬＥＤ表示や音声で報知する。また、制御部２３は、使用中のガス器具がガス漏れ警報器２の監視領域内になるガス器具であるか否かを判定する。この判定に使用するために、ガス漏れ警報器２の監視領域、すなわちガス漏れ警報器２と同室（たとえば、台所）に設置されているガス器具の種類を示すガス器具テーブルが、制御部２３内の電気的に書き換え可能な記憶手段としてのＲＯＭ２３ｂに予め格納されている。このガス器具テーブルは、ガス漏れ警報器２の設置時に設定器等を使用して上記ＲＯＭ２３ｂに格納される。
【００３８】
制御部２３は、監視領域内のガス器具であると判定した場合、ガスセンサ２４を駆動してガス漏れを監視させ、この監視状態でガス漏れが検出された場合、警報部２２からガス漏れ警報を発生させ、ガス漏れをユーザーに報知する。
【００３９】
図２に示すように、ガスメータ１の通信インターフェース１５は、電源に接続され、ガスメータ制御部１３のＣＰＵ１３ａの出力ポートＯ１から出力される制御信号で制御されるスイッチ１５１と、電源に接続され、ガスメータ制御部１３のＣＰＵ１３ａの出力ポートＯ２から出力される制御信号で制御されるスイッチ１５２と、スイッチ１５１と接地間に接続されたインピーダンス素子１５３と、スイッチ１５２と接地間に接続されたインピーダンス素子１５４とから構成されている。スイッチ１５１およびインピーダンス素子１５３の接続点は、端子台に含まれる警報器接続端子Ｔ１１とＣＰＵ１３ａの入力ポートＩ１に接続されている。
【００４０】
ガス漏れ警報器２の通信インターフェース２１は、端子台に含まれるメータ接続端子Ｔ２１にアノードが接続されかつＴ２２にカソードが接続された発光ダイオード２１１ａとフォトトランジスタ２１１ｂからなるフォトカップラ２１１と、電源にアノードが接続されかつ制御部２３のＣＰＵ２３ａの出力ポートＯ１１にカソードが接続された発光ダイオード２１２ａとフォトトランジスタ２１２ｂからなるフォトカップラ２１２とから構成されている。フォトカップラ２１１のフォトトランジスタ２１１ｂのコレクタは、抵抗２１３を介して電源に接続されていると共に、ＣＰＵ２３ａの入力ポートＩ１１に接続され、エミッタは接地されている。フォトカップラ２１２のフォトトランジスタ２１２ｂのコレクタは、端子台に含まれるメータ接続端子Ｔ２２に接続され、エミッタは、端子台に含まれるメータ接続端子Ｔ２１に接続されている。
【００４１】
ガスメータ１の警報器接続端子Ｔ１１およびＴ１２は、それぞれ信号線Ｌ１およびＬ２を介してガス漏れ警報器２のメータ接続端子Ｔ２１およびＴ２２に接続されている。
【００４２】
ＣＰＵ２３ａは請求項における受信判定手段およびガス器具判定手段に相当し、ＲＯＭ２３ｂは請求項における第１の記憶手段に相当し、通信インターフェース２１は請求項における受信手段に相当し、センサ駆動制御部２５は請求項におけるセンサ駆動制御手段に相当し、警報部２２は請求項における警報手段および報知手段に相当する。
【００４３】
次に、ガスメータ１のガスメータ制御部１３において、ＲＯＭ１３ｂに格納された制御プログラムにしたがってＣＰＵ１３ａが行うガス器具判別処理について、図３のフローチャートを参照しながら説明する。
【００４４】
ガスメータ制御部１３のＣＰＵ１３ａは、図示しない電源の投入によってその動作を開始し、所定の計測タイミングによるガス流量検知部１１からの流量検知信号に基づいて瞬時ガス流量を計測する（ステップＳ１）。次に、計測したガス流量値の流量区分を検出する（ステップＳ３）。次に、検出した流量区分に対応するガス器具を判別する（ステップＳ５）。この判別は、ＲＯＭ１３ｂ内に予め格納されているガス器具使用判別テーブルを参照して、検出された流量区分がガスコンロ４ａ、ガスストーブ４ｂまたは給湯器４ｃの何れかの流量区分に対応していれば、ガスコンロ４ａ、ガスストーブ４ｂまたは給湯器４ｃのガス器具４が使用中であると判別するものである。
【００４５】
次に、判別されたガス器具に対応するガス器具判別信号を、通信インターフェース１５および信号線Ｌを介してガス漏れ警報器２へ送信し（ステップＳ７）、次いでステップＳ１に戻る。
【００４６】
送信されるガス器具判別信号は、たとえば図４（Ａ）に示すように、周期５秒のオンオフ信号のオンパルスの連続回数を図６に示す各信号とは異なる回数とする。例として、ステップＳ５で判別されたガス器具がガスコンロ４ａの場合は、オンパルスの連続回数を４回とし、ガスストーブ４ｂの場合は５回とし、給湯器４ｃの場合は６回とする。
【００４７】
具体的には、たとえば、ステップＳ５で判別されたガス器具がガスコンロ４ａの場合は、図２において、ＣＰＵ１３ａの出力ポートＯ１から制御信号を出力することによってスイッチ１５１を０．１秒間隔で連続的に４回オン、オフすることを５秒周期で繰り返す。それにより、スイッチ１５１がオンしている間、電源からスイッチ１５１、警報器接続端子Ｔ１１、信号線Ｌ１、メータ接続端子Ｔ２１、発光ダイオード２１１ａ、警報器接続端子Ｔ２２、インピーダンス素子１５３を介して接地へ電流が流れ、発光ダイオード２１１ａが点灯し、フォトトランジスタ２１１ｂがオンすることにより、ＣＰＵ２３ａの入力ポートＩ１１に図４（Ａ）に示すガス器具判別信号が入力される。
【００４８】
なお、図２において、ガス漏れ警報器２からガスメータ１へ送信される信号は、ガスメータ１のＣＰＵ２３ａの出力ポートＯ１１から制御信号を出力することによってフォトカップラ２１２の発光ダイオード２１２ａをオン、オフさせることにより、フォトトランジスタ２１２ｂをオン、オフさせ、ガスメータ接続端子Ｔ２１およびＴ２２、ガス漏れ警報器接続端子Ｔ１１およびＴ１２を介して、ガスメータ１のＣＰＵ１３ａの入力ポートＩ１に入力される。
【００４９】
次に、ガス漏れ警報器２の制御部２３において、ＲＯＭ２３ｂに格納された制御プログラムにしたがってＣＰＵ２３ａが行うガス漏れ検出処理について、図５のフローチャートを参照しながら説明する。
【００５０】
ガス漏れ警報器２における制御部２３のＣＰＵ２３ａは、図示しない電源の投入によってその動作を開始し、ガスメータ１からのガス器具判別信号が受信されたか否かを判定する（ステップＳ２１）。
【００５１】
ガス器具判別信号が受信されない場合は、次いで、ステップＳ２１に戻り、ガス器具判別信号が受信された場合は、次いで、ガス器具使用中であることを警報部２２のＬＥＤ表示や音声にて報知させる（ステップＳ２３）。たとえば、「ガスコンロを使用中です。」等の音声メッセージで報知しても良い。
【００５２】
次に、受信したガス器具判別信号により、使用中のガス器具がガス漏れ警報器２の監視領域内にあるガス器具か否かを判定する（ステップＳ２５）。この判定は、制御部２３のＲＯＭ２３ｂ内に予め格納されている監視領域内のガス器具の種類を示すガス器具テーブルを参照して行われる。
【００５３】
使用中のガス器具がガス漏れ警報器２の監視領域内にあるガス器具であれば、次いで、
ＣＰＵ２３ａは、センサ駆動制御部２５に制御信号を送り、センサ駆動制御部２５によってガスセンサ２４を駆動する（ステップＳ２７）。センサ駆動制御部２５は、たとえば、ガスセンサ２４に供給される駆動電源を通常は遮断しておき、ＣＰＵ２３ａからの制御信号を受けた時に、ガスセンサ２４の駆動電源をオンとして供給するように構成されている。
【００５４】
次に、ＣＰＵ２３ａは、駆動されたガスセンサ２４によるガス検出処理を従来通り行う（ステップＳ２９）。すなわち、このガス検出処理では、ガスセンサ２４によりガス漏れを監視させ、この監視状態でガス漏れが検出された場合、警報部２２からガス漏れ警報を発生させ、ガス漏れをユーザーに報知する。
【００５５】
一方、ステップＳ２５で、使用中のガス器具が、監視領域内のガス器具でないと判定された場合は、ガスセンサ２４を駆動することなく処理を終了する。
【００５６】
このように、本発明によれば、ガス漏れ警報器２は、ガス器具４を使用している間は、ガス器具使用中であることを報知し、使用中のガス器具が監視領域内にあるものであれば、ガスセンサ２４を駆動してガス漏れ検出を可能とするので、ガス使用中であることを報知でき、また、使用中のガス器具が監視領域内にあるものでなければ、ガスセンサ２４を駆動せず、ガス漏れ検出の動作を行わないので、ガス漏れ警報器２における省電力化が可能となる。
【００５７】
以上の通り、本発明の実施形態について説明したが、本発明はこれに限らず、種々の変形、応用が可能である。
【００５８】
たとえば、上述の実施の形態では、ガス器具判別信号を図４（Ａ）に示す信号形態としているが、これに代えて、図４（Ｂ）または（Ｃ）に示す信号形態としても良い。すなわち、図４（Ｂ）では、周期５秒のオンオフ信号のオンパルスを１回とすると共に、そのパルス幅を図７に示す各信号とは異なる０．６秒以上のパルス幅とする。例として、ステップＳ５で判別されたガス器具がガスコンロ４ａの場合は、オンパルスのパルス幅を０．６秒とし、ガスストーブ４ｂの場合は０．７秒とし、給湯器４ｃの場合は０．８秒とする。また、図４（Ｃ）では、周期５秒のオンオフ信号を図７に示す各信号とは異なる６秒以上の周期とすると共にオンパルスの回数を１回としかつそのパルス幅を０．２〜０．４秒とする。例として、ステップＳ５で判別されたガス器具がガスコンロ４ａの場合は、周期を６秒とし、ガスストーブ４ｂの場合は７秒とし、給湯器４ｃの場合は８秒とする。
【００５９】
また、上述の実施形態では、ガスメータからのガス器具判別信号が信号線Ｌを介してガス漏れ警報器２へ送信されているが、これに代えて、無線送信しても良い。
【００６０】
また、上述の実施の形態では、ガス流量検知部１１は、超音波式流量計測手段を採用しているが、これに限らず、膜式流量計測手段等の他の方式の流量計測手段を使用しても良い。
【００６１】
また、ガス器具の使用の有無を、ガス流量に基づいて検出しているが、これに限らず他の検出方法に依っても良い。
【００６２】
また、上述の実施の形態では、ガス器具判別信号をオン／オフの繰り返しを含むパルス信号形式でガスメータ１からガス漏れ警報器２へ送信しているが、他の実施例として、電文形式で送信するように構成しても良い。
【００６３】
また、他の実施例として、ガス漏れ警報器側でガス器具判別信号を受信しなくなった時、警報部２２のＬＥＤ表示や音声でガス器具の使用停止を報知するように構成しても良い。たとえば、「ガスコンロを止めました。」等の音声メッセージで報知しても良い。
【００６４】
また、他の実施例として、ガス漏れ警報器２と同室（監視領域内）に設置されているガス器具と上述の異なる場所（監視領域外）に設置されたガス器具とを識別できる識別符号をガス器具判別信号に付加して送信し、ガス漏れ警報器２側で、ガス漏れ警報器２と同室に設置されているガス器具か否かをこの識別符号で判定できるように構成したりしても良い。
【００６５】
また、ガス漏れ警報器２は、ＬＰガス警報器、都市ガス警報器、ＣＯ警報器またはこれらの複合型警報器等のいずれでも良い。
【図面の簡単な説明】
【００６６】
【図１】本発明の実施の形態に係るガス漏れ警報器を備えたガス漏れ警報システムを示すブロック図である。
【図２】図１のガス漏れ警報システムにおける通信インターフェースの詳細を示す回路図である。
【図３】図２におけるガスメータのガス器具判別処理を示すフローチャートである。
【図４】（Ａ）、（Ｂ）および（Ｃ）は、ガス器具判別信号の信号形態を示す図である。
【図５】図２におけるガス漏れ警報器のガス漏れ検出処理を示すフローチャートである。
【図６】従来のガス漏れ警報システムにおけるガスメータからガス漏れ警報器へ送信される信号例を示す図である。
【符号の説明】
【００６７】
１      ガスメータ
２      ガス漏れ警報器
１１    ガス流量検知部
１３    制御部
１３ａ  ＣＰＵ（ガス器具判別手段）
１３ｂ  ＲＯＭ（第２の記憶手段）
１５    通信インターフェース（送信手段）
２１    通信インターフェース（受信手段）
２２    警報部（警報手段、報知手段）
２３    制御部
２３ａ  ＣＰＵ（受信判定手段、ガス器具判定手段）
２３ｂ  ＲＯＭ（第１の記憶手段）
２４    ガスセンサ
２５    センサ駆動制御部（センサ駆動制御手段）
４      ガス器具
４ａ    ガスコンロ（ガス器具）
４ｂ    ガスストーブ（ガス器具）
４ｃ    給湯器（ガス器具）
【図１】
2008293104.tif 000003
【図２】
2008293104.tif 000004
【図３】
2008293104.tif 000005
【図４】
2008293104.tif 000006
【図５】
2008293104.tif 000007
【図６】
2008293104.tif 000008